(57)【特許請求の範囲】
【請求項１】
樹脂構造体の成形時の流動配向性によって、樹脂中に混入した繊維素、金属粉末、又は色相の異なる樹脂等がランダムに配向されて形成される配向パターンであって、これを読み取ることによって個体識別情報を取得することができる配向パターンと、
前記配向パターンから取得された個体識別情報を暗号鍵として書込情報が暗号化されたランダムデータを、書込み・読出し自在に格納する情報格納部とを備え、
前記ランダムデータは、読取装置によって前記個体識別情報としての画像コードのｎ桁目の値”ｍ”に基づいてアドレスｍ番地にそのｎ桁目を示す情報が分配され、前記画像コードに基づいて指定されていないアドレス番地に前記書込情報が書き込まれて生成されている、構造体。
【請求項２】
樹脂構造体の配向パターンであって、これを読み取ることによって個体識別情報を取得することができる配向パターンと、
前記配向パターンから取得された個体識別情報に基づいて生成された情報を、書込み・読出し自在に格納する情報格納部とを備え、
前記構造体は樹脂成形体によって被覆され、前記配向パターンは、前記樹脂成形体自身の成形時の流動配向性によって、樹脂中に混入した繊維素、金属粉末、又は色相の異なる樹脂等がランダムに配向されて形成される配向パターンを含む、構造体。
【請求項３】
前記配向パターンは、前記構造体を構成する構造部材に付加される、請求項１又は２記載の構造体。
【請求項４】
前記構造体はＩＣカードを含み、前記情報格納部はＩＣチップを含む、請求項１又は２記載の構造体。
【発明の詳細な説明】
【０００１】
【発明の属する技術分野】
この発明は構造体に関し、特にその内部に各種情報が書込み・読出し自在に格納された構造体に関するものである。
【０００２】
【従来の技術】
従来のＩＣカードのような各種情報をその内部に書込みかつ読出す構造体においては、格納情報の保全性が極めて重要である。
この保全性を確保するために、例えばＩＣカードの走査領域に磁性ファイバーをランダムに混入させたものを配置し、これを磁気的に読取ることによってカード固有の情報を得るＩＣカードが提案されている。そしてこの固有情報をコード化し、このコードに基づいて格納情報を暗号化してＩＣチップに書込みしたり、あるいは格納情報を読出してこれを復合化したりしている。
【０００３】
【発明が解決しようとする課題】
上記のような構造体では、その固有情報を得るために磁性ファイバー等を準備し、しかも各構造体毎にその配置が異なるように人為的に操作する必要があり、コスト的に不利なものとなっていた。
この発明は上記のような課題を解決するためになされたもので、格納情報の保全性が高くかつ製造時においてコスト的に有利な構造体を提供することを目的とする。
【０００４】
【課題を解決するための手段】
上記の目的を達成するために、請求項１記載の発明は、樹脂構造体の成形時の流動配向性によって、樹脂中に混入した繊維素、金属粉末、又は色相の異なる樹脂等がランダムに配向されて形成される配向パターンであって、これを読み取ることによって個体識別情報を取得することができる配向パターンと、
前記配向パターンから取得された個体識別情報を暗号鍵として書込情報が暗号化されたランダムデータを、書込み・読出し自在に格納する情報格納部とを備え、
前記ランダムデータは、読取装置によって前記個体識別情報としての画像コードのｎ桁目の値”ｍ”に基づいてアドレスｍ番地にそのｎ桁目を示す情報が分配され、前記画像コードに基づいて指定されていないアドレス番地に前記書込情報が書き込まれて生成されている、構造体である。
【０００５】
このように構成することにより、配向パターンと情報格納部の情報とが関連付けられる。なお、配向パターンには、読取った画像データや画像データに対応する画像コードを含む。
【０００６】
また、個々に異なった個体識別情報に基づいて同一情報でも暗号化されて異なった情報として格納される。
請求項２記載の発明は、樹脂構造体の配向パターンであって、これを読み取ることによって個体識別情報を取得することができる配向パターンと、
前記配向パターンから取得された個体識別情報に基づいて生成された情報を、書込み・読出し自在に格納する情報格納部とを備え、
前記構造体は樹脂成形体によって被覆され、前記配向パターンは、前記樹脂成形体自身の成形時の流動配向性によって、樹脂中に混入した繊維素、金属粉末、又は色相の異なる樹脂等がランダムに配向されて形成される配向パターンを含む、構造体である。
【０００７】
構造体自身を被覆する樹脂成形体の配向パターンを用いるため、別途配向パターンを付加することが不要となる。
請求項３記載の発明は、請求項１又は請求項２記載の発明の構成において、配向パターンが構造体を構成する構成部材に付加されるものである。このように構成すると、構造部材の選定に制約を与えることはない。
【０００８】
請求項４記載の発明は、請求項１又は請求項２記載の発明の構成において、構造体はＩＣカードを含み、情報格納部はＩＣチップを含むものである。このように構成するとＩＣカードのＩＣチップに格納される情報の保全性が高まるものである。
【０００９】
【発明の効果】
以上説明したように、請求項１記載の発明は、配向パターンと情報格納部の情報とが関連付けられるため、情報格納部の格納情報を変更するには、個体識別情報が必要となり、情報の改ざんが防止される。また、格納された情報を変更するためには個体識別情報のみならず、暗号法則を知ることが必要となり、より改ざん防止の効果が向上する。
【００１０】
請求項２記載の発明は、構造体を被覆する樹脂成形体自身が固有の配向パターンの役目を有するため、合理的な配向パターンとなる。また配向パターンの変更が困難となり、より信頼性が向上する。
請求項３記載の発明は、請求項１又は請求項２記載の発明の効果に加えて、構造部材の選定に制約を加えないので、材料選定の自由度が高まり、かつ構造体の識別信頼性が向上する。
【００１１】
請求項４記載の発明は、請求項１又は請求項２記載の発明の効果に加えて、ＩＣカードのＩＣチップに格納される情報の保全性が高まり、改ざん防止の信頼性が高まる。
【００１２】
【発明の実施の形態】
図１は、この発明の前提となる樹脂構造体の一面を表した平面図である。
図を参照して、樹脂構造体１１は溶融樹脂に繊維素を混練した溶融樹脂を射出成形することによって製造されるものである。従って、樹脂構造体１１の表面には、透明又は半透明の樹脂１２の中に、射出成形時の流動配向性によってランダムに配向された繊維素１３が多数溶け込んだ状態となる。なおこの繊維素１３の配向は、流動配向によって生じるものであるため、同一時期の同一金型によって射出成形されたものであっても、同一形状に配向されるものではない。従って、樹脂１２中に含有された繊維素１３の配向パターンを光学的に読み取ることによって、樹脂構造体１１を個体として識別することが可能となる。
【００１３】
図２は、図１に示されている繊維素による配向パターンから、所定エリアを抽出した図である。
上述のように、樹脂構造体１１の各々において繊維素１３の配向パターンは異なるが、これを光学的に読み取る場合には、特定エリアを設定してこのエリアの配向パターンを読み取るのが、データ量の制限と照合精度の向上との点から好ましい。そこで、この実施の形態においては、図１に示すように、樹脂構造体１１の一面の右下隅の角を原点Ｏとし、そこから横方向にＡの距離をとりかつ縦方向にＢの距離をとった点を中心Ｘとしてそこから所定範囲のエリアを抽出エリア１５としている。従って、抽出エリア１５における繊維素１３の配向パターンは図２に示された状態となっている。そこで抽出エリア１５内に現れている繊維素１３の配向パターンを光学的に読み取り、これを二値化処理することによって個体を識別するための画像データを得ることができる。
【００１４】
図３は、図１に示されている樹脂構造体を個体識別するための読取装置と登録管理装置の構成を概略的に示したブロック図である。
図を参照して、読取装置１７はＣＰＵ２２によって全体的に制御されており、具体的には、樹脂構造体１１の抽出エリア１５を光学的に読み取りアナログデータを得るための撮像部１８と、撮像部１８で得られたアナログデータを二値化してデジタルデータとするためのＡ／Ｄ変換部１９と、Ａ／Ｄ変換部１９によって変換されたデジタルデータから樹脂構造体１１の抽出エリア１５に対応する画像データを抽出するための特徴抽出部２０と、樹脂構造体１１に対する撮像部１８の位置合わせ時や特徴抽出部２０によって抽出された画像データ等を表示するための表示部２１とから構成される。
【００１５】
一方、登録管理装置２５は、ＣＰＵ３１によって全体的に制御され、具体的には読取装置１７の特徴抽出部２０によって抽出された、樹脂構造体１１を個体として識別するための配向パターンとしての画像データを格納するための記憶部２７と、記憶部２７に画像データを書き込むための書込部２６と、記憶部２７から画像データを読み出すための読出部２８と、読出部２８によって記憶部２７から読み出された画像データと特徴抽出部２０によって抽出された画像データとを比較照合するための比較部２９と、比較部２９による比較結果を表示するための表示部３０とから構成される。
【００１６】
図４は、図３に示された読取装置及び登録管理装置の処理内容を示したフローチャートである。
図を参照して、樹脂構造体の登録処理及び照合処理について説明する。
まずステップＳ５０において、樹脂構造体１１に対してＣＣＤカメラ等からなる撮像部１８によって、樹脂構造体１１の表面に現れた繊維素の配向による配向パターンが撮影される。このようにして得られた配向パターンのアナログデータは、Ａ／Ｄ変換部１９において二値化処理され、デジタルデータに変換される（Ｓ５１）。次に特徴抽出部２０において、二値化されたデジタルデータに対して抽出すべきエリアを設定して（Ｓ５２）、抽出エリア内に含まれる画像データを樹脂構造体１１の特徴データとして抽出する（Ｓ５３）。
【００１７】
次にステップＳ５４において、抽出された画像データを登録処理するか否かが判別される。登録処理される場合には（ステップＳ５４でＹＥＳ）、抽出された画像データは、登録管理装置２５の書込部２６を介して記憶部２７に識別情報として登録される（Ｓ５５）。このようにして、製造された樹脂構造体１１毎にその特徴データを読み取り、読み取った画像データを登録管理装置２５の記憶部２７に記録することによって登録処理が完了する。
【００１８】
次に識別データとしての画像データが全て登録された後、識別すべき樹脂構造体１１が既に登録された樹脂構造体と合致するか否かの照合処理について説明する。
この場合、ステップＳ５０からＳ５３までの処理は登録処理におけるものと同一である。ここで照合処理が求められる場合は、ステップＳ５４でＮＯとなり、フローはステップＳ５６以降に移る。そして、ステップＳ５７で、登録管理装置２５の記憶部２７に格納されている画像データが順次読出部２８によって読み出され、読み取られた樹脂構造体１１から抽出された画像データと比較部２９において照合される（Ｓ５８）。そして、記憶部２７に格納されている画像データのいずれかと特徴抽出部２０によって抽出された樹脂構造体１１の画像データとが合致した場合、樹脂構造体１１は既に読み取られ登録処理が完了されたものの１つと判断できるため、その樹脂構造体１１は本物と判断される（Ｓ５９）。
【００１９】
一方、記憶部２７に格納されている画像データのいずれとも特徴抽出部２０において抽出された画像データとが合致しない場合は、樹脂構造体１１は以前に画像データが読み取られかつそのデータが登録処理されたもののいずれでもないことから、偽物と判断される（Ｓ６０）。
このようにして識別すべき樹脂構造体１１が、以前に製造されたものの中のいずれかか、あるいは以前に製造されたもの以外のものであるかがその樹脂構造体１１の表面に現れる配向パターンによって判断され、さらに以前に製造されたものの内どのものであるかまで判別することができる。
【００２０】
なお、上記の実施の形態では、配向パターンを明確にするために、透明又は半透明樹脂に不透明な繊維を混入したものを用いているが、繊維素以外に例えば金属粉末等を樹脂に混入して成形したものでもよい。
また、繊維素等を混入させる代わりに色相の異なる樹脂を混入してこれらの色相の変化パターンを読み取って配向パターンとしての画像データを得てもよい。
【００２１】
さらに、上記の実施の形態においては、樹脂構造体は射出成形による成形品としているが、これに代えて押し出し成形やブロー成形によって形成されるものであっても、識別できる流動配向パターンを得られるような樹脂構造体であればよいことは言うまでもない。
図５は、この発明の実施の形態によるＩＣカードの一面を示した図である。
【００２２】
図を参照して、ＩＣカード３３は先の第１の実施の形態における樹脂構造体と同様の繊維素１３がランダムに配向された樹脂１２によってその外面が被覆されている。そしてＩＣカード３３にはカード情報として種々の情報が格納されているＩＣチップ３４がその内部に埋め込まれ、外部から非接触状態又は接触状態においてその情報が読出しされかつ書込みされる。
【００２３】
なおこのＩＣカード３３は、カード全体が繊維素１３がランダムに配向された樹脂１２によって覆われているため、先の第１の実施の形態におけるように抽出エリア１５を設定して、そのエリア内の繊維素１３の配向パターンを画像データとして読み取ることができる。これによってＩＣカード３３を個々に識別するための配向パターンを得ることができる。
【００２４】
図６は、この発明の実施の形態によるＩＣカードの変形例を示した図である。
図を参照して、このＩＣカード３３は、カード全体を繊維素がランダムに配向された樹脂で覆うものではなく、図５の抽出エリア１５に対応する位置に繊維素がランダムに配向された樹脂を識別素子３５としてカードの構造部材３６に埋め込んだものが示されている。このようにＩＣカード３３を構成すると、カード全体を繊維素を配向した樹脂で覆うときに繊維素の使用制限等によって十分な配向パターンが得られない場合に有効である。即ち、図６の例においては、カード全体としての構造部材３６に対して繊維素の配向に制限がある場合でも、そのような制限を受けない繊維素が配向された樹脂を識別素子３５として用いることができるため、ＩＣカード３３を識別すべき十分な配向パターンを得ることができるからである。
【００２５】
図７は、この発明の実施の形態によるＩＣカードを読み取りかつ登録管理するための読取装置と登録管理装置との概略構成を示したブロック図である。
図を参照して、読取装置１７は全体的にはＣＰＵ２２によって制御され、具体的には、ＩＣカード３３に埋設されたＩＣチップ３４の格納データを読み取ったりあるいはＩＣチップ３４にデータを書き込んだりするための読取・書込部４０と、ＩＣカード３３の表面に現れた配向パターンを読み取りアナログデータを得るための撮像部１８と、撮像部１８によって得られたアナログデータを二値化してデジタルデータに変換するためのＡ／Ｄ変換部１９と、二値化されたデジタルデータのうち抽出エリア内のデータを画像データとして抽出するための特徴抽出部２０と、ＩＣカード３３に対して所定の情報を入出力するための入出力部４３と、特徴抽出部２０によって抽出された画像データと入出力部４３から入力された情報とに基づいてランダムな情報を作成するための情報変換部４１と、撮像部１８によって撮像されたアナログデータや、特徴抽出部２０によって抽出された画像データを表示するための表示部２１とから構成される。
【００２６】
一方、登録管理装置２５は、全体的にはＣＰＵ３１によって制御され、具体的には、読取装置１７の特徴抽出部２０によって抽出された画像データを書き込んだり、情報変換部４１によって生成されたランダムデータ等を書き込むための書込部２６と、書込部２６によって各種データが書き込まれるための記憶部２７と、記憶部２７のデータを読み出すための読出部２８と、読出部２８によって読み出されたランダムデータを所望の情報に変換するための情報変換部４２と、読取装置１７の特徴抽出部２０によって抽出された画像データとこれに対応する記憶部２７から読み出された画像データ等を比較したり、読取装置１７の情報変換部４１によって変換された情報と、これに対応する、記憶部２７から読出部２８を介して読み出されたデータを情報変換部４１によって変換したものとを比較するための比較部２９と、比較部２９の比較結果を表示するための表示部３０とから構成される。
【００２７】
図８は、図７における読取装置と登録管理装置とによって行われる登録処理及び照合処理の具体的内容を示したフローチャートである。
まずＩＣカードを対象とした登録処理について説明する。
ＩＣカードが製造されると、使用者に手渡される前に以下に述べる登録処理が行われる。まずＩＣカード３３を個体として識別するために撮像部１８によってＩＣカード３３の抽出エリア１５を含む周辺エリアまで撮影される。これによって得られたアナログデータである撮像データは、Ａ／Ｄ変換部１９において二値化処理されデジタルデータに変換される（Ｓ６２）。そしてステップＳ６３において、設定されたエリア内の画像データが取り出され（Ｓ６３）、識別すべき配向パターンとしての画像データが抽出される（Ｓ６４）。
【００２８】
登録処理と判断されると（ステップＳ６５でＹＥＳ）、情報変換部４１においてランダムデータが生成される。
このランダムデータの生成については以下具体例に基づいて説明する。例えば、抽出された画像データに基づいて画像コード”１４４６”を設定したものとする。即ち、この画像コードが、ＩＣカードの配向パターンに基づくものであり、ＩＣカードの各々によって異なった数値を示すものとなる。一方、ＩＣカード３３のＩＣチップ３４に書き込むための初期書込情報として”００００”，”０１００”，”００１０”，”０１０１”，”１００１”がＩＣカードの初期値として入出力部４３を介して入力されたものとする。ランダムデータはこの画像コードと入力情報とに基づいて生成されるデータを意味するものである。
【００２９】
具体的には図９の（１）に示されているように、このランダムデータは、アドレス０番地から順次増える番地のメモリエリア４４に書き込まれることを想定したデータと考える。この場合、画像コードが”１４４６”であるため、このコードの１桁目の”１”に基づいて斜線で示すようにアドレス１番地に”１０００”が配分される。次に、画像コードの２桁目と３桁目との値、即ち”４”の値によってアドレス４番地のエリアに”０１１０”が配分され、同様にアドレス６番地に”０００１”が配分される。そして斜線以外のメモリエリア４４のエリア、即ち画像コードに基づいて指定されていないエリアとしてアドレス０，２，３，５及び７番地に書込情報４５の各々が書き込まれることになる。このようにしてアドレス０番地から７番地までのランダムデータが生成されることになる。
【００３０】
一方、図９の（２）は得られた画像データに基づいた画像コードが”１０３７”であり、書込み情報が図９の（１）と同一の場合のランダムデータの内容を示した図である。図９の（２）においては斜線で示されたメモリエリア４４が画像コードによって指定されるエリアであり、そのためにアドレス２，４，５，６，８番地に対して書込情報４５が配分されることになる。
【００３１】
図９の（１）のランダムデータと図９の（２）のランダムデータとを比較してみると、図において矢印で示されているような番地の関係、即ち図９の（１）のアドレスとして０，２，３，５，７番地が図９の（２）のアドレスとして２，４，５，６，８番地が各々対応していることになる。これは即ち書込み情報が書込まれている番地が、固有の画像コードを暗号鍵として暗号化されていると言え、逆に言えば、この画像コードが判明しなければ、書込み情報を取り出すことができないと言える。このようにして、ランダムデータの秘密保全性を高めることができる。
【００３２】
次に、ステップＳ６７において、ＩＣカード毎の番号がコード番号として設定され、ステップＳ６８において、特徴抽出部２０で抽出された画像データと、情報変換部４１によって生成されたランダムデータと、入出力部４３によって入力されたコード番号とが読取・書込部４０を介して識別素子３５のＩＣチップ３４に書込まれる。続いて同様のデータが、登録管理装置２５の書込部２６を介して記憶部２７に書込まれて登録が完了する（Ｓ６９）。
【００３３】
次に、使用が開始されたようなＩＣカードの照合処理について説明する。
照合すべきＩＣカードに対して、上記の登録処理で行ったステップＳ６１からステップＳ６４までの処理と同一の処理が行われる。これによって、照合すべきＩＣカードの配向パターンに基づいて抽出された画像コードを得ることができる。具体的な照合処理に入ると（ステップＳ７０でＹＥＳ）、ステップＳ７１において、ＩＣカード３３のＩＣチップ３４に格納されている情報が、読取・書込部４０によって読出される。この読出された情報の中には、上記の登録処理において格納されたランダムデータが含まれる。次に、ＩＣチップ３４から読出されたランダムデータから画像コードが取り出される（Ｓ７２）。具体的には、識別すべきＩＣカード３３の配向パターンを読取ることによって、画像コードを得ることができるので、この画像コードに基づいて対応するアドレスの番地のデータを読出し、このデータによって、ランダムデータに格納された画像コードを取り出すことができる。
【００３４】
同様に登録管理装置２５の記憶部２７に格納されたデータが読出され（Ｓ７３）、この読出されたデータに含まれるランダムデータから同様に画像コードが取り出される（Ｓ７４）。次にステップＳ７５において、ＩＣカード３３のＩＣチップ３４から読出された画像コードと登録管理装置２５の記憶部２７から順次読出された画像コードとの照合が行われる。照合の結果画像コードが合致する場合には、ＩＣカード３３は本物としてステップＳ７７に進むが、画像コードが一致しない場合には、ステップＳ７８において識別対象となったＩＣカード３３は偽物と判断され処理は終了する。
【００３５】
一方、読出された画像コードの一致によって本物と判定された場合、ステップＳ７７において、ＩＣカード３３のＩＣチップ３４に格納されたランダムデータから取り出された画像コードと登録管理装置２５の記憶部２７に格納されたランダムデータから取り出された画像コードとが照合される（Ｓ７７）。照合された画像コードが一致した場合には（ステップＳ７９においてＹＥＳ）、識別対象となったＩＣカード３３は本物であり、かつＩＣカード３３のＩＣチップ３４に格納された書込み情報の改ざんは無いと判断され処理は終了する（Ｓ８０）。
【００３６】
一方、取り出された画像コードが一致しない場合は、識別対象となったＩＣカード３３は本物ではあるがＩＣチップ３４に格納された書込み情報に対して改ざんが行われたものと判断して処理は終了される（Ｓ８１）。
ここで改ざんの有無とランダムデータから取り出された画像データとの関係について説明する。図９に示したように、格納されたランダムデータにおいては、どのアドレスデータが画像コードに対応したデータ（図では斜線において示されているデータ）か第三者には判別できない。従って、画像コードに対応したデータ以外の書込み情報の内容のみを改ざんしようとすることは困難となる。そこで、不用意な改ざんを行うと、画像コードに対応したデータまで改ざんすることになる。そのため改ざんされたランダムデータから画像コードを取り出すと、本来の画像コードとは異なった画像コードとなり改ざんが判明する。
【００３７】
一方、読取装置１７を通して正規に書込み情報が変更されたＩＣカード３３についてはそのランダムデータから取り出される画像コードは不変となるため、画像コードは常に正規の画像コードと一致し改ざんが無いと判断される。
なお、上記のような改ざんの有無は、ＩＣカード３３の配向パターンから得られる画像コードとＩＣカード３３のＩＣチップ３４に格納されたランダムデータから取り出される画像コードとの比較によっても可能である。しかし、ＩＣカード３３のＩＣチップ３４に格納される画像コードの改ざんの可能性を考慮すると、上記の実施の形態のように登録管理装置２５の記憶部２７に格納されたランダムデータから取り出された画像コードを照合対象とする方がより信頼性が向上する。
【００３８】
また上記の実施の形態では、画像コードを直接ＩＣカード３３のＩＣチップ３４と登録管理装置２５の記憶部２７とに格納しているが、より安全性を高めるためには、この画像コードも暗号化して各々ＩＣチップ３４と記憶部２７とに格納するようにすればよい。
さらに、上記の実施の形態では、画像コードに対応するアドレス番地を利用してランダムデータを生成しているが、画像コードと格納情報とを演算した結果をランダムデータとしてＩＣチップに書込んだり、読出したりしてもよい。
【００３９】
さらに上記の実施の形態では、ＩＣカードに適用しているがカメラのボディ、コンパクトディスク等の構造体の識別、管理にも適用できることは言うまでもない。
【図面の簡単な説明】
【図１】この発明の前提となる樹脂構造体の一面を示した図である。
【図２】図１の抽出エリア１５における配向パターンを示した図である。
【図３】図１の樹脂構造体に対して読取り及び登録管理を行うための読取装置と登録管理装置の概略構成を示したブロック図である。
【図４】図３に示した読取装置と登録管理装置とによる登録処理及び照合処理の内容を示したフローチャートである。
【図５】この発明の実施の形態によるＩＣカードの一面を示した図である。
【図６】この発明の実施の形態によるＩＣカードの変形例を示した図である。
【図７】図５及び図６のＩＣカードに対する読取り及び登録管理を行うための読取装置及び登録管理装置の概略構成を示したブロック図である。
【図８】図７に示した読取装置及び登録管理装置による登録処理及び照合処理の内容を示したフローチャートである。
【図９】図８のランダムデータ生成ステップにおけるランダムデータの内容を説明するための図である。
【符号の説明】
１１・・・樹脂構造体
１２・・・樹脂
１３・・・繊維素
１５・・・抽出エリア
１７・・・読取装置
１８・・・撮像部
１９・・・Ａ／Ｄ変換部
２０・・・特徴抽出部
２５・・・登録管理装置
２６・・・書込部
２７・・・記憶部
２８・・・読出部
２９・・・比較部
３３・・・ＩＣカード
３４・・・ＩＣチップ
３５・・・識別素子
４０・・・読取・書込部
４１・・・情報変換部
尚、各図中同一符号は同一又は相当部分を示す。
【図１】
0004035221.tif 000002
【図２】
0004035221.tif 000003
【図３】
0004035221.tif 000004
【図４】
0004035221.tif 000005
【図５】
0004035221.tif 000006
【図６】
0004035221.tif 000007
【図７】
0004035221.tif 000008
【図８】
0004035221.tif 000009
【図９】
0004035221.tif 000010